(57)【要約】【課題】直管型照明の省エネルギー化を図りつつも快適性の低下を抑制可能な直管型照明器具を提供する。【解決手段】  一対の対向する回転式ソケット２０の間に着脱可能に取り付けられる直管型照明器具１０であり、一対の前記回転式ソケット２０の各々に、前記回転式ソケット２０の所定の回転範囲内で電気的に接続される一対の接続端子３０と、前記接続端子３０と電気的に接続され、直状の蛍光灯１００の両端に設けられる電極に電気的に接続される一対の直管型照明用ソケット６０と、一対の前記直管型照明用ソケット６０の間に延在して当該直管型照明用ソケット６０に取り付けられて前記蛍光灯１００の光を反射させる反射板８０と、を有し、回転式ソケット２０に前記接続端子３０を挿入して回転させることで、前記反射板８０および前記直管型照明用ソケット６０が前記接続端子３０とともに一体的に回転する。【選択図】図１
2014059952.tif 000002
【特許請求の範囲】
【請求項１】
一対の対向する回転式ソケットの間に着脱可能に取り付けられる直管型照明器具であって、
一対の前記回転式ソケットの各々に、前記回転式ソケットの所定の回転範囲内で電気的に接続される一対の接続端子と、
前記接続端子と電気的に接続され、直状の直管型照明の両端に設けられる電極に電気的に接続される一対の直管型照明用ソケットと、
一対の前記直管型照明用ソケットの間に延在して当該直管型照明用ソケットに取り付けられて前記直管型照明の光を反射させる反射板と、
を有し、前記回転式ソケットに前記接続端子を挿入して回転させることで、前記反射板および前記直管型照明用ソケットが前記接続端子とともに一体的に回転する直管型照明器具。
【請求項２】
前記回転式ソケットに前記接続端子を挿入して回転させることで前記接続端子とともに一体的に回転し、当該回転の中心軸を中心とする円弧状の外周面を備える保持部と、
前記回転式ソケットが配置される側に固定され、前記保持部の外周面を覆って当該外周面を任意の回転位置で回転固定的に保持可能である補助部材と、
を有する請求項１に記載の直管型照明器具。
【請求項３】
直管型照明に電流を供給する直管型照明器具であって、
基台に着脱可能であって電源と電気的に接続可能なソケットハウジングと、
直状の直管型照明の端部に設けられる電極に電気的に接続される回転式の直管型照明用ソケットと、
前記直管型照明の外周面を覆って当該外周面を任意の回転位置で回転固定的に保持可能である補助部材と、
を有する直管型照明器具。
【請求項４】
前記電源と電気的に接続するとともに前記直管型照明用ソケットに電流を供給する配電部を更に有する、請求項３に記載の直管型照明器具。
【発明の詳細な説明】
【技術分野】
【０００１】
本発明は、直管型の照明を取り付けるためのソケットに取り付けられて、大きさの異なる直管型の照明を点灯させることが可能な直管型照明器具に関するものである。
【背景技術】
【０００２】
近年、地球温暖化の観点から省エネルギー化の重要性が高まっており、直管型の照明においても、省エネルギー化が要求されている。このため、例えば、蛍光灯よりも消費電力の少ないＬＥＤの需要が増加している。
【０００３】
また、ＬＥＤには特有の刺激があり、個人差によって目が疲れやすく必ずしも快適ではない場合があることから、従来から一般的に使用されているＴ８直管型蛍光灯（管径：２５．５ｍｍ）よりも消費電力の少ないＴ５直管型蛍光灯（管径：１５．５ｍｍ）を、補助装置を介してＴ８直管型蛍光灯用のランプソケットに取り付けることで、目に優しく省エネルギー化も可能な技術も知られている（例えば、特許文献１参照）。
【先行技術文献】
【特許文献】
【０００４】
【特許文献１】特表２００４−５２９４５９号公報
【発明の開示】
【発明が解決しようとする課題】
【０００５】
しかしながら、例えばＬＥＤ照明の場合、蛍光灯等と比較して光の照射範囲が狭く限定されるため、照射対象に対して光の邑が生じて快適性が低下する虞がある。また、Ｔ５直管型蛍光灯の場合は、Ｔ８直管型蛍光灯に比べて消費電力が少ないために、光量が低下して同様に快適性が損なわれやすい。
【０００６】
本発明は、上記従来技術に伴う課題を解決するためになされたものであり、直管型照明の省エネルギー化を図りつつも快適性の低下を抑制可能な直管型照明器具を提供することを目的とする。
【課題を解決するための手段】
【０００７】
上記目的を達成する本発明に係る直管型照明器具は、一対の対向する回転式ソケットの間に着脱可能に取り付けられる直管型照明器具であって、一対の前記回転式ソケットの各々に、前記回転式ソケットの所定の回転範囲内で電気的に接続される一対の接続端子と、前記接続端子と電気的に接続され、直状の直管型照明の両端に設けられる電極に電気的に接続される一対の直管型照明用ソケットと、一対の前記直管型照明用ソケットの間に延在して当該直管型照明用ソケットに取り付けられる前記直管型照明の光を反射させる反射板と、を有し、前記回転式ソケットに前記接続端子を挿入して回転させることで、前記反射板および前記直管型照明用ソケットが前記接続端子とともに一体的に回転する直管型照明器具である。
【発明の効果】
【０００８】
上記のように構成した本発明に係る直管型照明器具は、回転式ソケットに接続端子を挿入して回転させることで、反射板および直管型照明用ソケットが接続端子とともに一体的に回転するため、回転式ソケットと通電可能な任意の回転位置に接続端子を配置することで、反射板による光の照射方向を設定可能であり、直管型照明の省エネルギー化を図りつつも快適性の低下を抑制できる。また、直管型照明器具を回転式ソケットに対して回転させることで、直管型照明の点灯および消灯を切り換えることができ、例えば直管型照明器具が天井に複数存在する場合に、一部の直管型照明器具を回転させるだけで容易に点灯しないように設定でき、簡単な作業で点灯させる直管型照明器具を減少させて省エネルギー化を図ることが可能である。
【０００９】
前記回転式ソケットに前記接続端子を挿入して回転させることで前記接続端子とともに一体的に回転し、当該回転の中心軸を中心とする円弧状の外周面を備える保持部と、前記回転式ソケットが配置される側に固定され、前記保持部の外周面を覆って当該外周面を任意の回転位置で回転固定的に保持可能である補助部材と、を有する直管型照明器具であれば、直管型照明器具の回転位置を容易に保持して直管型照明の照射方向を調節でき、かつ直管型照明器具の落下を抑制することができる。特に、天井に位置する直管型照明器具を回転させて点灯しないように設定した際には、接続端子が回転式ソケットから抜けやすい状態となって直管型照明器具が落下しやすくなり得るが、このような状態であっても、保持部の外周面を補助部材が保持することで、直管型照明器具の落下を抑制できる。
【００１０】
また、直管型照明に電流を供給する直管型照明器具であって、基台に着脱可能であって電源と電気的に接続可能なソケットハウジングと、直状の直管型照明の端部に設けられる電極に電気的に接続される回転式の直管型照明用ソケットと、前記直管型照明の外周面を覆って当該外周面を任意の回転位置で回転固定的に保持可能である補助部材と、を有する直管型照明器具であれば、基台にソケットハウジングを取り付け、直管型照明を補助部材で保持しつつ直管型照明用ソケットに取り付けることで、直管型照明を回転させて点灯および消灯を容易に切り換えることができ、省エネルギー化を図ることが可能である。
【００１１】
前記電源と電気的に接続するとともに前記直管型照明用ソケットに電流を供給する配電部を更に有すれば、電源を配電部に接続するだけで容易に直管型照明用ソケットに電流を供給することができる。
【図面の簡単な説明】
【００１２】
【図１】本発明の第１実施形態に係る直管型照明器具を示す平面図である。
【図２】直管型照明器具の端部を示す平面図である。
【図３】図２のＡ−Ａ線に沿う矢視図である。
【図４】直管型照明器具が取り付けられる回転式ソケットを示す断面図である。
【図５】直管型照明器具を回転式ソケットに取り付ける際を示す平面図である。
【図６】直管型照明器具を回転式ソケットに取り付ける際を示す平面図である。
【図７】回転式ソケットに取り付けられた直管型照明器具を示す平面図である。
【図８】本発明の第２実施形態に係る直管型照明器具を示す平面図である。
【図９】図８のＢ−Ｂ線に沿う矢視図である。
【図１０】直管型照明器具を基台に取り付ける際を示す平面図である。
【図１１】直管型照明器具に直管型照明を取り付ける際を示す平面図である。
【図１２】直管型照明器具に直管型照明を取り付けた際を示す平面図である。
【図１３】直管型照明を取り付けた際の補助部材を示す平面図である。
【発明を実施するための形態】
【００１３】
以下、図面を参照して、本発明の実施の形態を説明する。なお、図面の説明において同一の要素には同一の符号を付し、重複する説明を省略する。
【００１４】
＜第１実施形態＞
第１実施形態に係る直管型照明器具１０は、Ｔ８直管型蛍光灯を取り付けるための回転式ソケット２０に取り付けることで、Ｔ８直管型蛍光灯よりも小径で消費電力の少ないＴ５直管型の蛍光灯１００（直管型照明）を取り付け可能とするものである。
【００１５】
回転式ソケット２０は、図４に示すように、天井に取り付けられる基台２１に固定されており、２本の蛍光灯を点灯させる２灯式として１つの基台に２対で設けられる。各々の回転式ソケット２０は、蛍光灯の両端の各々から突出する２本の電極が挿通されるスリット２２と、スリット２２に挿通された電極を回転可能とする円形溝２３と、円形溝２３の所定の回転位置に移動した電極が接触して電極へ電流を印加可能とする電源端子２４とを備えている。なお、回転式ソケット２０は、一般的に使用されているソケットであるため、他の詳細な構成については説明を省略する。
【００１６】
直管型照明器具１０は、１つの基台２１に対して２本の蛍光灯１００を点灯させるために２つ設けられる。各々の直管型照明器具１０は、図１〜図３に示すように、一対の回転式ソケット２０の各々の電源端子２４に電気的に接続される接続端子３０と、接続端子３０が連結されている保持部４０と、保持部４０の外周面４１に接する補助部材５０と、Ｔ５直管型の蛍光灯１００が接続される直管型照明用ソケット６０と、対向する２つの直管型照明用ソケット６０の間をつなぐ本体部７０と、反射板８０とを備えている。また、各々の直管型照明器具１０は、インバータを含む基板（不図示）を備えており、インバータ式で点灯する構造となっている。なお、インバータの構造は、一般的に使用されているものであるため、説明を省略する。
【００１７】
接続端子３０は、Ｔ８直管型蛍光灯の電極端子と同形状となっており、両端に２本ずつ突出して形成される。各々の端部の２本の接続端子３０は、回転式ソケット２０のスリット２２に挿通可能であり、スリット２２に挿通された状態で回転することで円形溝２３に侵入し、円形溝２３の所定の回転位置に配置される電源端子２４と接触する。電源端子２４と接続端子３０が接触する範囲は、円形溝２３の回転方向に一定の幅を備えており、例えば、スリット２２に挿入した状態から７５度〜１０５度の範囲で接触する。各々の端部の２本の接続端子３０は、直管型照明器具１０を回転式ソケット２０に取り付けて下方へ光を照射する状態において、水平方向に並ぶように配置されている。
【００１８】
保持部４０は、接続端子３０を回転式ソケット２０に取り付ける際の回転軸を中心とする円弧状の外周面４１を有する円柱形状で形成され、接続端子３０に連結されている。
【００１９】
補助部材５０は、弾性変形可能な板材を曲げて形成されており、回転式ソケット２０が配置されている基台２１に対して接着剤、両面テープまたはボルト等によって固定される基端部５１と、基端部５１から延びて保持部４０の外周面４１を覆うように形成される２つの円弧部５２と、各々の円弧部５２の先端に設けられて互いに離れる方向へ開くように形成される拡開部５３とを備えている。拡開部５３は、保持部４０が接することで対向する２つの円弧部５２を離隔させ、２つの円弧部５２の間に保持部４０が侵入することを容易とする。２つの円弧部５２は、間に侵入した保持部４０を弾性力により挟持して円弧部５２の間からの離脱を抑制し、かつ保持部４０の外周面４１を任意の回転位置で回転固定的に保持可能である。
【００２０】
直管型照明用ソケット６０は、各々の保持部４０に連結されて対向して設けられ、取り付け対象であるＴ５直管型蛍光灯１００の寸法に対応して形成される。直管型照明用ソケット６０は、ばね等で付勢されて後退可能な差込口を備える一般的な押し込み式ソケットであるが、Ｔ５直管型蛍光灯１００を取り付け可能であればいかなる構成のソケットでもよく、例えば回転式ソケットとすることもできる。
【００２１】
本体部７０は、対向する２つの直管型照明用ソケット６０の間を連結し、取り付けられるＴ５直管型蛍光灯１００に沿うように延在して形成される。
【００２２】
反射板８０は、本体部７０に固定して配置され、円弧を形成する凹形状の反射面８１が、Ｔ５直管型蛍光灯１００に臨むように延在して形成されており、集光能力を高めることができる。反射面８１は、光を反射するように、アルミにより形成されるが、反射する機能を発揮できれば、これに限定されない。したがって、反射面８１のＴ５直管型蛍光灯１００に臨む方向が、光の照射方向Ｘとなる（図３参照）。
【００２３】
次に、本実施形態に係る直管型照明器具１０の作用を説明する。
【００２４】
まず、図５に示すように、基台２１の各々の回転式ソケット２０の近傍、すなわち取り付けられる直管型照明器具１０の保持部４０に対応する位置に、補助部材５０の基端部５１を接着剤、両面テープまたはボルト等により固定する。そして、直管型照明器具１０の直管型照明用ソケット６０に、Ｔ５直管型蛍光灯１００を取り付ける。
【００２５】
次に、直管型照明器具１０の照射方向Ｘが水平方向を向くように配置し、各々の端部に設けられる２本の接続端子３０が鉛直方向に並んだ状態で、図５，図６に示すように、２本の接続端子３０を回転式ソケット２０のスリット２２（図４参照）に挿通する。この際に、保持部４０が補助部材５０の拡開部５３を押し広げつつ２つの円弧部５２の間に侵入する。補助部材５０は、２つの円弧部５２の間に侵入した保持部４０を弾性力により挟持し、直管型照明器具１０が落下することを抑制する。
【００２６】
次に、図３に示すように、照射方向Ｘが下方を向くように直管型照明器具１０を回転させると、接続端子３０が回転式ソケット２０の円形溝２３内を回転し、円形溝２３の所定の回転位置に配置される電源端子２４と接触する（図４参照）。これにより、直管型照明器具１０に取り付けられたＴ５直管型蛍光灯１００へ、接続端子３０、インバータおよび直管型照明用ソケット６０を介して、電源端子２４から電流を印可可能となる。
【００２７】
また、回転式ソケット２０に接続端子３０を挿入して回転させると、直管型照明器具１０は、基台２１に固定される補助部材５０を除く全ての部分が、接続端子３０とともに一体的に回転する。そして、円形溝２３の所定の回転位置に配置される電源端子２４の接続端子３０と接触する範囲が、円形溝２３の回転方向に一定の幅を備えていため、図７に示すように、照射方向Ｘを鉛直方向からずれた方向とすることができる。このように、消費電力の小さいＴ５直管型蛍光灯１００を利用可能として省エネルギー化を図りつつも、回転式ソケット２０と通電可能な任意の回転位置に接続端子３０を配置することで、集光能力の高い反射板８０を利用して光の照射方向Ｘを任意の方向に設定可能であり、快適性の低下を抑制できる。
【００２８】
また、補助部材５０の円弧部５２が、保持部４０の外周面４１を、任意の回転位置で回転固定的に保持できるため、蛍光灯１００の照射方向Ｘを容易に調節でき、かつ直管型照明器具１０の落下を抑制して安全性を向上できる。
【００２９】
また、直管型照明器具１０を回転式ソケット２０に対して回転させることで、蛍光灯１００（直管型照明）の点灯および消灯を切り換えることができ、例えば直管型照明器具１０が天井に複数存在する場合に、一部の直管型照明器具１０を回転させるだけで蛍光灯１００を容易に点灯しないように設定でき、簡単な作業で点灯させる蛍光灯１００を減少させて、省エネルギー化を図ることが可能である。特に、天井に位置する直管型照明器具を回転させて点灯しないように設定した際には、図６に示すように接続端子３０が回転式ソケット２０から抜けやすい状態となって直管型照明器具１０が落下しやすくなり得るが、このような状態であっても、保持部４０の外周面４１を補助部材５０が保持することで、直管型照明器具１０の落下を抑制できる。
【００３０】
また、通常、２対の回転式ソケット２０を備える２灯式の場合に、１本の蛍光灯のみを回転式ソケット２０に取り付けると、構造によっては蛍光灯の点灯が不安定となり得るが、各々の直管型照明器具１０がインバータを含む基板を備えているため、２つの直管型照明器具１０を２対の回転式ソケット２０に取り付け、一方の直管型照明器具１０を図６に示すように回転させて消灯しても、他方の蛍光灯１００のみを点灯させることができる。
【００３１】
なお、本発明は上述した実施の形態に限定されるものではなく、特許請求の範囲の範囲内で種々改変することができる。例えば、本実施形態に係る直管型照明器具１０は、インバータ式であるが、ラピットスタート型やグロー式とすることもできる。また、本実施形態に係る直管型照明器具１０は、Ｔ８直管型蛍光灯用の回転式ソケット２０を利用して、Ｔ５直管型蛍光灯１００を点灯させるものであるが、利用する回転式ソケットはＴ８直管型蛍光灯用に限定されず、かつ取り付けられる蛍光灯はＴ５直管型蛍光灯に限定されない。
【００３２】
また、本実施形態に係る直管型照明器具１０は、Ｔ８直管型蛍光灯用の回転式ソケット２０に、Ｔ８直管型蛍光灯よりも小径で長さの短いＴ５直管型蛍光灯を取り付けるものであるが、取り付けられる直管型照明は、回転式ソケットへの取り付け対称である直管型照明と同径または大径であってもよく、かつ同じ長さまたはより長くてもよい。
【００３３】
また、取り付けられる直管型照明は、規格の変更等によって電極等の形状が異なる直管型照明であってもよい。この場合、取り付けられる直管型照明の形状に合わせて、直管型照明用ソケット６０の形態を変更することが好ましい。
【００３４】
さらに、本実施形態に係る直管型照明器具１０は、直管型照明用ソケット６０に直管型の蛍光灯１００が取り付けられるが、取り付けられる照明は蛍光灯に限定されず、例えば直管型のＬＥＤ照明を直管型照明用ソケット６０に取り付けてもよい。ＬＥＤ照明は、通常、蛍光灯等と比較して光の照射範囲が狭く限定されるため、照射対象に対して光の邑が生じやすいが、本実施形態に係る直管型照明器具１０を用いることで、光の照射方向が調整可能となり、快適性を向上できる。
【００３５】
また、本実施形態に係る直管型照明器具１０は、蛍光灯用の回転式ソケット２０に取り付けられるが、回転式ソケットも蛍光灯用に限定されず、例えばＬＥＤ照明用の回転式ソケットに取り付けられてもよい。
【００３６】
また、回転式ソケットは、回転する接続端子３０を通電可能に保持することが可能であれば、構造は限定されず、一般的に流通している規格とは異なる特殊形状であってもよい。また、
＜第２実施形態＞
第２実施形態に係る直管型照明器具２００は、図８，９に示すように、直管型照明を取り付けるためのソケットを取り外した基台２７０に対して着脱可能に取り付けられ、異なる規格の直管型照明を取り付け可能とする装置である。なお、以下では、Ｔ８直管型蛍光灯用の基台２７０から、例えば押し込み式のソケットを取り外し、Ｔ５直管型蛍光灯１００を点灯可能とする例で説明する。
【００３７】
直管型照明器具２００は、蛍光灯１００の両端の電極１０１（図１１参照）に接続する２つのソケット部２１０と、交流電源２２５が入力されて２つのソケット部２１０にケーブル２２１を介して電流を供給する配電部２２０とを備えている。
【００３８】
ソケット部２１０は、基台２７０に設けられる連結凸部２７１（図１０参照）に嵌合可能な取付溝２３１が両側面に形成されるソケットハウジング２３０を備え、ソケットハウジング２３０には、回転式の直管型照明用ソケット２４０が配されている。直管型照明用ソケット２４０は、蛍光灯１００の端部から突出する２本の電極１０１が挿通されるスリット２４２と、スリット２４２に挿通された電極１０１を回転可能とする円形溝２４３と、円形溝２４３の所定の回転位置に移動した電極１０１が接触して電極１０１へ電流を印加可能とする電源端子２４４とを備えている。
【００３９】
蛍光灯１００の端部の２本の電極１０１は、スリット２４２に挿通された状態で回転することで円形溝２４３に侵入し、円形溝２４３の所定の回転位置に配置される電源端子２４４と接触する。電源端子２４４と電極１０１が接触する範囲は、円形溝２４３の回転方向に一定の幅を備えており、例えば、スリット２４２に挿入した状態から７５度〜１０５度の範囲で接触する。各々の端部の２本の電極１０１は、光を照射する状態において、略水平方向に並ぶように配置されている。
【００４０】
さらに、ソケットハウジング２３０には、蛍光灯１００の端部の外周面１０２に接する補助部材２５０が、ブラケット２６０を介して連結されている。ブラケット２６０は、ソケットハウジング２３０に対して挿入することで連結される着脱可能な構造であるが、ソケットハウジング２３０と着脱不能に固定されてもよい。
【００４１】
補助部材２５０は、弾性変形可能な板材を曲げて形成されており、ブラケット２６０に対してリベット２６１により固定される基端部２５１と、基端部２５１から延びて蛍光灯１００の外周面１０２（図１１参照）を覆うように形成される２つの円弧部２５２と、各々の円弧部２５２の先端に設けられて互いに離れる方向へ開くように形成される拡開部２５３とを備えている。拡開部２５３は、蛍光灯１００が接することで対向する２つの円弧部２５２を離隔させ、２つの円弧部２５２の間に蛍光灯１００が侵入することを容易とする。２つの円弧部２５２は、間に侵入した蛍光灯１００を弾性力により挟持して円弧部２５２の間からの離脱を抑制し、かつ蛍光灯１００の外周面１０２を任意の回転位置で回転固定的に保持可能である。
【００４２】
補助部材２５０は、弾性変形可能であるため、径の異なる照明をも挟持することができる。本実施形態では、Ｔ５直管型蛍光灯１００が設置された際に、円弧部２５２の全体がＴ５直管型照明に接するように設計されているが、図１３に示すように、例えばＴ８直管型やＬＥＤ照明等のＴ５直管型よりも外径の大きい照明３００を取り付けることも可能である。すなわち、外径が大きな照明３００を取り付ける場合、円弧部２５２が広がり、円弧部２５２の拡開部２５３に近い側の２点Ｔ１，Ｔ２と、基端部２５１に近い側の２点Ｔ３，Ｔ４とで照明を挟持することになる。このとき、照明３００を確実に保持できるように、円弧部２５２の拡開部２５３に近い側の２点Ｔ１，Ｔ２が、照明３００の中心線を通る平面Ｐよりも重力下方に位置することが好ましい。
【００４３】
次に、第２実施形態に係る直管型照明器具２００の作用を説明する。
【００４４】
まず、図１０，１１に示すように、配電部２２０を基台２７０または天井部に固定した後、交流電源２２５を配電部２２０に接続する。この後、従来のソケットが取り外された基台２７０の連結凸部２７１に取付溝２３１が嵌合するように、基台２７０に対してソケット部２１０をスライドさせる。これにより、蛍光灯１００の両端に接続する２つのソケット部２１０が基台２７０に連結される。
【００４５】
次に、図１１，１２に示すように、蛍光灯１００の両端に設けられる２本の電極１０１が鉛直方向に並んだ状態で、電極１０１をソケット部２１０のスリット２４２に挿通する。この際に、蛍光灯１００の外周面１０２が補助部材２５０の拡開部２５３を押し広げつつ２つの円弧部２５２の間に侵入する。補助部材２５０は、２つの円弧部２５２の間に侵入した外周面１０２を弾性力により挟持し、蛍光灯１００が落下することを抑制する。
【００４６】
次に、蛍光灯１００を回転させると、電極１０１が円形溝２４３内を回転し、円形溝２４３の所定の回転位置に配置される電源端子２４４と接触する。これにより、直管型照明器具２００に取り付けられた蛍光灯１００へ電流を印可可能となる。
【００４７】
第２実施形態に係る直管型照明器具２００によれば、従来のソケットの代わりに取り付けることで、消費電力の小さいＴ５直管型蛍光灯１００を利用可能として省エネルギー化を図ることができる。
【００４８】
また、交流電源２２５に接続される配電部２２０からソケット部２１０へ電流を供給できるため、交流電源２２５を配電部２２０へ差し替えるのみでソケット部２１０へ電流を供給可能であり、大掛かりな工事を必要とせずに容易に設置できる。
【００４９】
また、補助部材２５０が設けられているため、蛍光灯１００の電極１０１が電源端子２４４と接触しない範囲で蛍光灯１００を保持することができ、直管型照明器具２００に蛍光灯１００を取り付けた状態のまま、蛍光灯１００を点灯しないように設定できる。このとき、蛍光灯１００の外周面１０２が補助部材２５０に挟持されているため、蛍光灯１００の落下を抑制できる。したがって、例えば直管型照明器具２００が天井に複数存在する場合に、一部の蛍光灯１００を回転させるだけで容易に点灯しないように設定でき、簡単な作業で点灯させる蛍光灯１００を減少させて、省エネルギー化を図ることが可能である。
【００５０】
なお、第２実施形態に係る直管型照明器具２００は、Ｔ８直管型蛍光灯用の基台２７０を利用して、Ｔ５直管型蛍光灯１００を点灯させるものであるが、利用する基台２７０はＴ８直管型蛍光灯用に限定されず、かつ取り付けられる蛍光灯はＴ５直管型蛍光灯に限定されない。特に、本実施形態では、弾性変形可能な補助部材２５０が設けられているため、異なる規格の直管型照明に対して、１種類の直管型照明器具２００で対応することができる。
【００５１】
また、取り付けられる直管型照明は、規格の変更等によって電極等の形状が異なる直管型照明であってもよい。この場合、取り付けられる直管型照明の形状に合わせて、直管型照明用ソケット２４０の形態を変更することが好ましい。
【００５２】
さらに、取り付けられる照明は蛍光灯に限定されず、例えば直管型のＬＥＤ照明を取り付けてもよい。
【００５３】
また、第２実施形態に係る直管型照明器具２００は、１灯式として説明したが、２灯式であってもよい。
【符号の説明】
【００５４】
１０，１００    直管型照明器具、
２０    回転式ソケット、
３０    接続端子、
４０    保持部、
４１    外周面、
５０，２５０    補助部材、
６０，２４０    直管型照明用ソケット、
７０    本体部、
８０    反射板、
１００    蛍光灯（直管型照明）、
１０１    電極、
１０２    外周面、
２１０    ソケット部、
２２０    配電部、
２２５    交流電源、
２３０    ソケットハウジング、
２７０    基台、
Ｘ    照射方向。
【図１】
2014059952.tif 000003
【図２】
2014059952.tif 000004
【図３】
2014059952.tif 000005
【図４】
2014059952.tif 000006
【図５】
2014059952.tif 000007
【図６】
2014059952.tif 000008
【図７】
2014059952.tif 000009
【図８】
2014059952.tif 000010
【図９】
2014059952.tif 000011
【図１０】
2014059952.tif 000012
【図１１】
2014059952.tif 000013
【図１２】
2014059952.tif 000014
【図１３】
2014059952.tif 000015
【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
一対の対向する回転式ソケットの間に着脱可能に取り付けられる直管型照明器具であって、
一対の前記回転式ソケットの各々に、前記回転式ソケットの所定の回転範囲内で電気的に接続される一対の接続端子と、
前記接続端子と電気的に接続され、直状の直管型照明の両端に設けられる電極に電気的に接続される一対の直管型照明用ソケットと、
一対の前記直管型照明用ソケットの間に延在して当該直管型照明用ソケットに取り付けられて前記直管型照明の光を反射させる反射板と、
を有し、前記回転式ソケットに前記接続端子を挿入して回転させることで、前記反射板および前記直管型照明用ソケットが前記接続端子とともに一体的に回転する直管型照明器具。
【請求項２】
前記回転式ソケットに前記接続端子を挿入して回転させることで前記接続端子とともに一体的に回転し、当該回転の中心軸を中心とする円弧状の外周面を備える保持部と、
前記回転式ソケットが配置されるがわに固定され、前記保持部の外周面を覆って当該外周面を任意の回転位置で当該回転位置を固定するように保持可能である補助部材と、
を有する請求項１に記載の直管型照明器具。
【手続補正２】
【補正対象書類名】明細書
【補正対象項目名】０００９
【補正方法】変更
【補正の内容】
【０００９】
前記回転式ソケットに前記接続端子を挿入して回転させることで前記接続端子とともに一体的に回転し、当該回転の中心軸を中心とする円弧状の外周面を備える保持部と、前記回転式ソケットが配置されるがわに固定され、前記保持部の外周面を覆って当該外周面を任意の回転位置で当該回転位置を固定するように保持可能である補助部材と、を有する直管型照明器具であれば、直管型照明器具の回転位置を容易に保持して直管型照明の照射方向を調節でき、かつ直管型照明器具の落下を抑制することができる。特に、天井に位置する直管型照明器具を回転させて点灯しないように設定した際には、接続端子が回転式ソケットから抜けやすい状態となって直管型照明器具が落下しやすくなり得るが、このような状態であっても、保持部の外周面を補助部材が保持することで、直管型照明器具の落下を抑制できる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１６
【補正方法】変更
【補正の内容】
【００１６】
直管型照明器具１０は、１つの基台２１に対して２本の蛍光灯１００を点灯させるために２つ設けられる。各々の直管型照明器具１０は、図１〜図３に示すように、一対の回転式ソケット２０の各々の電源端子２４に電気的に接続される接続端子３０と、接続端子３０が連結されている保持部４０と、保持部４０の外周面４１に接する補助部材５０と、Ｔ５直管型の蛍光灯１００が接続される直管型照明用ソケット６０と、対向する２つの直管型照明用ソケット６０の間をつなぐ本体部７０と、反射板８０とを備えている。また、各々の直管型照明器具１０は、インバータを含む基板（不図示）を備えており、インバータ式で点灯する構造となっている。なお、インバータの構造は、一般的に使用されているものであるため、説明を省略する。直管型照明器具１０は、接続端子３０がインバータを介して直管型照明用ソケット６０と電気的に接続されている。したがって、直管型照明用ソケット６０にＴ５直管型蛍光灯１００を取り付けた状態で、接続端子３０に回転式ソケット２０の電源端子２４が電気的に接続されると、電源端子２４からＴ５直管型蛍光灯１００へ電流を印加することが可能となる。
【手続補正６】
【補正対象書類名】明細書
【補正対象項目名】００２２
【補正方法】変更
【補正の内容】
【００２２】
反射板８０は、本体部７０に固定して配置され、円弧を形成する凹形状の反射面８１が、対向する２つの直管型照明用ソケット６０の間に取り付けられるＴ５直管型蛍光灯１００に臨むように延在して形成されており、集光能力を高めることができる。反射面８１は、光を反射するように、アルミにより形成されるが、反射する機能を発揮できれば、これに限定されない。したがって、反射面８１のＴ５直管型蛍光灯１００に臨む方向が、光の照射方向Ｘとなる（図３参照）。
【手続補正７】
【補正対象書類名】明細書
【補正対象項目名】００２６
【補正方法】変更
【補正の内容】
【００２６】
次に、図３に示すように、照射方向Ｘが下方を向くように直管型照明器具１０を回転させると、インバータおよび直管型照明用ソケット６０を介してＴ５直管型蛍光灯１００に電気的に接続されている接続端子３０が回転式ソケット２０の円形溝２３内を回転し、円形溝２３の所定の回転位置に配置される電源端子２４と接触する（図４参照）。これにより、直管型照明器具１０に取り付けられたＴ５直管型蛍光灯１００へ、接続端子３０、インバータおよび直管型照明用ソケット６０を介して、電源端子２４から電流を印可可能となる。
【手続補正８】
【補正対象書類名】図面
【補正対象項目名】図１
【補正方法】変更
【補正の内容】
【図１】
2014059952.tif 000016
【手続補正９】
【補正対象書類名】図面
【補正対象項目名】図２
【補正方法】変更
【補正の内容】
【図２】
2014059952.tif 000017